(57)【要約】【課題】人が入浴した状態での追焚き動作の開始時に追焚回路内の冷水が浴槽内に流れ込むことを回避するとともに、追焚回路内の冷水排出により浴槽内湯水温度が低くなりすぎた状態のままとなることを防止する。【解決手段】浴槽６の近傍に人検知センサ５３を設けておき、人の存在を検知すると燃焼開始せずに循環ポンプ３２を作動させることで追焚回路３内の冷水を浴槽６内に排出しておくようにするとともに、冷水排出後の浴槽内湯水温度が低くなりすぎた場合には保温運転モードの追焚き周期にかかわらず冷水排出直後に追焚きを行うか、或いは、保温運転モードにおける次の追焚き制御のタイミングを早めることで、その後入浴する人に快適な入浴を提供する。【選択図】図３
2019007684.tif 000002
【特許請求の範囲】
【請求項１】
浴槽内の湯水を循環路内に循環させて浴槽内に戻すための循環ポンプと、前記循環路内を循環する湯水を加熱するための加熱部と、浴槽内湯水温度を検出する浴槽内湯水温度検出手段と、前記循環ポンプ及び前記加熱部の動作制御を行う制御部とを備える風呂追焚き装置において、
前記浴槽の近傍に設置された人検知センサをさらに備え、
前記制御部は、前記人検知センサが人の存在を検知すると、前記加熱部による加熱を行うことなく前記循環ポンプを作動させることにより、前記循環路内に残留する残留水を浴槽内に排出するよう構成されているとともに、前記残留水の排出後の浴槽内湯水温度が所定の温度閾値よりも低ければ前記循環ポンプ及び前記加熱部を作動させることによって浴槽内の湯水を追焚きするよう構成されている、風呂追焚き装置。
【請求項２】
浴槽内の湯水を循環路内に循環させて浴槽内に戻すための循環ポンプと、前記循環路内を循環する湯水を加熱するための加熱部と、浴槽内湯水温度を検出する浴槽内湯水温度検出手段と、前記循環ポンプ及び前記加熱部の動作制御を行う制御部とを備え、該制御部は保温運転モードで動作可能に構成され、該保温運転モード中の前記制御部は、浴槽内湯水温度が所定の保温閾値よりも低いか否かを所定周期毎に判定するとともに、浴槽内湯水温度が前記保温閾値よりも低いと判定すると前記循環ポンプ及び前記加熱部を作動させることにより浴槽内の湯水を所定の目標温度まで追焚きするよう構成された風呂追焚き装置において、
前記浴槽の近傍に設置される人検知センサをさらに備え、
前記制御部は、前記保温運転モード中に前記人検知センサが人の存在を検知すると、前記加熱部による加熱を行うことなく前記循環ポンプを作動させることにより、前記循環路内に残留する残留水を浴槽内に排出するよう構成されているとともに、前記所定周期にかかわらず前記残留水の排出後の浴槽内湯水温度が所定の温度閾値よりも低ければ前記循環ポンプ及び前記加熱部を作動させることによって浴槽内の湯水を追焚きするよう構成されている、風呂追焚き装置。
【請求項３】
浴槽内の湯水を循環路内に循環させて浴槽内に戻すための循環ポンプと、前記循環路内を循環する湯水を加熱するための加熱部と、浴槽内湯水温度を検出する浴槽内湯水温度検出手段と、前記循環ポンプ及び前記加熱部の動作制御を行う制御部とを備え、該制御部は保温運転モードで動作可能に構成され、該保温運転モード中の前記制御部は、浴槽内湯水温度が所定の保温閾値よりも低いか否かを所定周期毎に判定するとともに、浴槽内湯水温度が前記保温閾値よりも低いと判定すると前記循環ポンプ及び前記加熱部を作動させることにより浴槽内の湯水を所定の目標温度まで追焚きするよう構成された風呂追焚き装置において、
前記浴槽の近傍に設置される人検知センサをさらに備え、
前記制御部は、前記保温運転モード中に前記人検知センサが人の存在を検知すると、前記加熱部による加熱を行うことなく前記循環ポンプを作動させることにより、前記循環路内に残留する残留水を浴槽内に排出するよう構成されているとともに、前記残留水の排出後の浴槽内湯水温度に応じて前記保温運転モードにおける次の浴槽内湯水温度の判定タイミングを変更するよう構成されている、風呂追焚き装置。
【請求項４】
請求項３に記載の風呂追焚き装置において、前記制御部は、前記残留水の排出後の浴槽内湯水温度が所定の温度閾値よりも低ければ前記循環ポンプ及び前記加熱部を作動させることによって浴槽内の湯水を所定の目標温度まで追焚きするとともに、当該追焚き時点を前記所定周期の起点として前記保温運転モードにおける次の浴槽内湯水温度の判定タイミングを変更するよう構成されている、風呂追焚き装置。
【発明の詳細な説明】
【技術分野】
【０００１】
本発明は、浴槽内の湯水を追い焚きするための風呂追焚き装置に関する。
【背景技術】
【０００２】
例えば下記の特許文献１及び２には、浴槽内の湯水の温度を設定温度に保温する風呂追焚き装置として機能する給湯装置が開示されている。この従来の風呂追焚き装置は、浴槽内の湯水を循環路内に循環させて浴槽内に戻すための循環ポンプと、循環路内を循環する湯水を加熱するための加熱部と、浴槽内湯水温度を検出する浴槽内湯水温度検出手段と、循環ポンプ及び加熱部の動作制御を行う制御部とを備えており、制御部は、保温運転モード中、時間間隔をおいて追焚きを行うことによって浴槽内湯水を加熱するよう構成されている。
【０００３】
また、特許文献１記載の技術では、人体検知手段が人体の不在を検出した場合に、人体の存在を検出した場合よりも上記時間間隔を長くすることで、温度検出の動作回数を減少させて省エネルギーを図るとともに、入浴時の快適性を保つことが開示されている。
【０００４】
また、特許文献２記載の技術では、人検出手段が人を検出すると追焚き運転等の保温動作を開始することで素早く浴槽内湯温を最適にする一方、浴室内に人がいないときの不必要な追焚き運転による保温動作の回数を削減することが開示されている。
【先行技術文献】
【特許文献】
【０００５】
【特許文献１】特開２００９−１０９１７７号公報
【特許文献２】特許第４４５８１９９号公報
【発明の概要】
【発明が解決しようとする課題】
【０００６】
ところで、循環ポンプの作動が停止されている間は、循環路内に残留している湯水が放熱により温度低下することになる。循環路の一部でも外気に晒された状態にあると、温度低下し易くなって浴槽内の湯水との対比では循環路内の残留水は冷水になってしまう。さらに、風呂追焚き装置の本体が屋外に設置されている場合や、集合住宅のパイプシャフト内等の屋外雰囲気と同視し得る場所に設置されている場合には、循環路内の残留水の温度は一層低温となる。
【０００７】
かかる状況下において、追い焚き運転の開始により循環ポンプが作動されると、まず、循環路内に残留していた冷水が浴槽内の湯中に流れ込み、次いで、追い焚き加熱された湯が流れ込んでくることになる。このとき、入浴中であれば入浴者に対し一時的に流入してきた冷水によって不快感を与えてしまう結果を招くことになる。
【０００８】
上記特許文献１及び２のいずれも、循環路内に残留する冷水が浴槽内に流れ込むことによる不快感までは考慮されておらず、人検知時には頻繁に追焚きすることで浴槽内湯水の温度低下を防止することで不快感を解消しようとするものにすぎない。
【０００９】
また、特許文献２の技術では、人を検知すると即座に追焚き動作を開始するようになっているが、浴槽内の湯水温度としては追焚きが必要な程度までは低下していない場合もあり（特許文献２の図７の温度Ｔ２とＴ３の間など）、人の検知によって温度閾値を上げて頻繁に保温運転を行うのは、ユーザによっては過度な追焚きが行われていると感じるものとなるとともに、省エネルギー性の観点からも好ましいものではない。
【００１０】
そこで、本発明は、人が浴槽内に入浴する前に循環路内に残留する冷水を排出しておくことによって、入浴中に追焚き動作が行われた際に循環路から冷水が浴槽内に流れ込むことを防止するとともに、冷水排出後の浴槽内湯水の温度に応じて追焚き動作が行われるようにすることで、冷水排出によって浴槽内湯水温度が過度に低下したままとなることを防止することを目的とする。
【課題を解決するための手段】
【００１１】
本発明は、上記目的を達成するために、次の技術的手段を講じた。
【００１２】
すなわち、本発明は、浴槽内の湯水を循環路内に循環させて浴槽内に戻すための循環ポンプと、前記循環路内を循環する湯水を加熱するための加熱部と、浴槽内湯水温度を検出する浴槽内湯水温度検出手段と、前記循環ポンプ及び前記加熱部の動作制御を行う制御部とを備える風呂追焚き装置において、前記浴槽の近傍に設置された人検知センサをさらに備え、前記制御部は、前記人検知センサが人の存在を検知すると、前記加熱部による加熱を行うことなく前記循環ポンプを作動させることにより、前記循環路内に残留する残留水を浴槽内に排出するよう構成されているとともに、前記残留水の排出後の浴槽内湯水温度が所定の温度閾値よりも低ければ前記循環ポンプ及び前記加熱部を作動させることによって浴槽内の湯水を追焚きするよう構成されている、風呂追焚き装置である（請求項１）。
【００１３】
かかる本発明の風呂追焚き装置によれば、人検知センサが人の存在を検知すると、加熱部による加熱を行うことなく循環ポンプを作動させることによって循環路内に残留する残留水を浴槽内に排出する。したがって、人検知センサの検知範囲を適切に設定することによって、人が浴槽に入る前に循環路内の残留水を排出して浴槽内の適温の湯水と置換しておくことができ、人が浴槽内に入浴中に冷水が循環路内から浴槽内に吐出されることがなく、入浴中に冷水が吐出されることによる不快感を解消できる。さらに、残留水の排出によって浴槽内湯水温度が所定の温度閾値よりも低くなれば、循環ポンプのみならず加熱部をも作動させることで浴槽内の湯水を追焚きするため、残留水の排出によって浴槽内湯水温度が過度に低下したままとなることを防止し、快適性を一層向上できるとともに、必要以上に加熱部による追焚きが行われることもなく、省エネルギー性も向上できる。
【００１４】
なお、請求項１に係る風呂追焚き装置は、自動保温運転機能（保温運転モード）を有していることが好ましいが、自動保温運転機能を有さなくてもよく、リモコン等の操作による手動追焚き運転機能のみを有するものであってもよい。かかる場合であっても、湯はり後に少し時間をあけて（例えば１５分経過後に）入浴する際に、冬場などにおいては循環路内の残留水が急激に冷却され、入浴中にリモコン操作によって追焚き動作を開始すると冷水が循環路内から浴槽内に排出されることとなるが、本発明によれば、人の検知によって人が浴槽内に入る前に予め循環路内の冷水を排出しておくことができる。
【００１５】
また、本発明は、浴槽内の湯水を循環路内に循環させて浴槽内に戻すための循環ポンプと、前記循環路内を循環する湯水を加熱するための加熱部と、浴槽内湯水温度を検出する浴槽内湯水温度検出手段と、前記循環ポンプ及び前記加熱部の動作制御を行う制御部とを備え、該制御部は保温運転モードで動作可能に構成され、該保温運転モード中の前記制御部は、浴槽内湯水温度が所定の保温閾値よりも低いか否かを所定周期毎に判定するとともに、浴槽内湯水温度が前記保温閾値よりも低いと判定すると前記循環ポンプ及び前記加熱部を作動させることにより浴槽内の湯水を所定の目標温度まで追焚きするよう構成された風呂追焚き装置において、前記浴槽の近傍に設置される人検知センサをさらに備え、前記制御部は、前記保温運転モード中に前記人検知センサが人の存在を検知すると、前記加熱部による加熱を行うことなく前記循環ポンプを作動させることにより、前記循環路内に残留する残留水を浴槽内に排出するよう構成されているとともに、前記所定周期にかかわらず前記残留水の排出後の浴槽内湯水温度が所定の温度閾値よりも低ければ前記循環ポンプ及び前記加熱部を作動させることによって浴槽内の湯水を追焚きするよう構成されている、風呂追焚き装置である（請求項２）。
【００１６】
かかる本発明の風呂追焚き装置によれば、保温運転モード中は、所定周期毎に浴槽内湯水温度が保温閾値よりも低いか否かを判定して、低いと判定すると循環ポンプ及び加熱部を作動させることにより浴槽内の湯水を目標温度まで追焚きすることで、浴槽内湯水温度を目標温度と保温閾値との間の範囲内に保温する。また、保温運転モード中に人検知センサが人の存在を検知すると、加熱部による加熱を行うことなく循環ポンプを作動させることによって循環路内に残留する残留水を浴槽内に排出する。したがって、人検知センサの検知範囲を適切に設定することによって、人が浴槽に入る前に循環路内の残留水を排出して浴槽内の適温の湯水と置換しておくことができ、人が浴槽内に入浴中に所定周期が到来して保温運転モードの追焚き動作が開始することにより冷水が循環路内から浴槽内に吐出されることがなく、入浴中に冷水が吐出されることによる不快感を解消できる。さらに、残留水の排出によって浴槽内湯水温度が所定の温度閾値よりも低くなれば、保温運転モードの所定周期が到来したか否かにかかわらず浴槽内の湯水を追焚きするため、残留水の排出によって浴槽内湯水温度が過度に低下したままとなることを防止し、快適性を一層向上できるとともに、必要以上に加熱部による追焚きが行われることもなく、省エネルギー性も向上できる。
【００１７】
なお、保温運転モードの上記「保温閾値」と、残留水排出後の追焚きを行うか否かの判定基準となる上記「温度閾値」とは、同じ値であっても良いし、異なる値であってもよい。また、残留水排出後の追焚きは、浴槽内湯水温度が保温運転モードにおける目標温度となるまで行ってもよいし、当該目標温度とは異なる温度（例えば目標温度−１℃）まで行ってもよいし、浴槽内湯水温度に関係なく所定時間（例えば１分間）行われるものであってもよい。
【００１８】
また、本発明は、浴槽内の湯水を循環路内に循環させて浴槽内に戻すための循環ポンプと、前記循環路内を循環する湯水を加熱するための加熱部と、浴槽内湯水温度を検出する浴槽内湯水温度検出手段と、前記循環ポンプ及び前記加熱部の動作制御を行う制御部とを備え、該制御部は保温運転モードで動作可能に構成され、該保温運転モード中の前記制御部は、浴槽内湯水温度が所定の保温閾値よりも低いか否かを所定周期毎に判定するとともに、浴槽内湯水温度が前記保温閾値よりも低いと判定すると前記循環ポンプ及び前記加熱部を作動させることにより浴槽内の湯水を所定の目標温度まで追焚きするよう構成された風呂追焚き装置において、前記浴槽の近傍に設置される人検知センサをさらに備え、前記制御部は、前記保温運転モード中に前記人検知センサが人の存在を検知すると、前記加熱部による加熱を行うことなく前記循環ポンプを作動させることにより、前記循環路内に残留する残留水を浴槽内に排出するよう構成されているとともに、前記残留水の排出後の浴槽内湯水温度に応じて前記保温運転モードにおける次の浴槽内湯水温度の判定タイミングを変更するよう構成されている、風呂追焚き装置である（請求項３）。
【００１９】
かかる本発明の風呂追焚き装置によれば、保温運転モード中は、所定周期毎に浴槽内湯水温度が保温閾値よりも低いか否かを判定して、低いと判定すると循環ポンプ及び加熱部を作動させることにより浴槽内の湯水を目標温度まで追焚きすることで、浴槽内湯水温度を目標温度と保温閾値との間の範囲内に保温する。また、保温運転モード中に人検知センサが人の存在を検知すると、加熱部による加熱を行うことなく循環ポンプを作動させることによって循環路内に残留する残留水を浴槽内に排出する。したがって、人検知センサの検知範囲を適切に設定することによって、人が浴槽に入る前に循環路内の残留水を排出して浴槽内の適温の湯水と置換しておくことができ、人が浴槽内に入浴中に所定周期が到来して保温運転モードの追焚き動作が開始することにより冷水が循環路内から浴槽内に吐出されることがなく、入浴中に冷水が吐出されることによる不快感を解消できる。さらに、残留水の排出後の浴槽内湯水温度に応じて保温運転モードにおける次の浴槽内湯水温度の判定タイミングを変更するので、保温運転モードによる浴槽内湯水温度の判定及び追焚き動作を、残留水の排出後の浴槽内湯水温度に応じた適切なタイミングで実施できる。
【００２０】
例えば、残留水の排出後の浴槽内湯水温度が、想定値よりも低下していれば保温運転モードにおける次の浴槽内湯水温度の判定タイミングを早め、一方、想定値よりも低下していなければ保温運転モードにおける次の浴槽内湯水温度の判定タイミングを遅くすることができる。
【００２１】
また、残留水の排出後の浴槽内湯水温度が所定の第１の温度閾値よりも低下していれば上記したように次の浴槽内湯水温度の判定タイミングを変更するが、第１の温度閾値よりも低い所定の第２の温度閾値よりも低下していれば、その時点で追焚きを行った上で次の浴槽内湯水温度の判定タイミングは変更しないよう構成することもできる。
【００２２】
上記風呂追焚き装置において、前記制御部は、前記残留水の排出後の浴槽内湯水温度が所定の温度閾値よりも低ければ前記循環ポンプ及び前記加熱部を作動させることによって浴槽内の湯水を所定の目標温度まで追焚きするとともに、当該追焚き時点を前記所定周期の起点として前記保温運転モードにおける次の浴槽内湯水温度の判定タイミングを変更するよう構成されていてよい（請求項４）。かかる構成によれば、残留水排出後に浴槽内湯水温度が温度閾値よりも低くなっていれば、その時点で浴槽内湯水温度が目標温度となるまで追焚きされるとともに、この追焚き時点を所定周期の起点として次の浴槽内湯水温度の判定タイミングがリセットされるため、残留水排出時の追焚き動作からあまり時間経過していないのに保温運転モードによる浴槽内湯水温度判定のための循環ポンプの動作が行われることを回避できる。
【００２３】
なお、次の浴槽内湯水温度の判定タイミングの変更方法は適宜のものであってよく、例えば、次の判定タイミングまでの時間を計時するインターバルタイマーによって所定周期のカウントを行っている場合は、このインターバルタイマーの残り時間を増減することによって次の判定タイミングを変更できる。この場合、特定の時点を起点として次の判定タイミングを設定するには、上記特定の時点にインターバルタイマーをリセットすればよい。
【００２４】
また、浴槽内湯水温度検出手段は適宜の構成であってよく、例えば浴槽に取付けた温度センサであってもよいが、好ましくは、循環路の途中に設けられて循環路内を流通する湯水温度を検出する温度センサによって構成でき、この場合、循環ポンプの作動によって浴槽内湯水が循環路内に循環しているとき、若しくは、温度センサの取付位置まで浴槽内湯水を吸い込んだ後の温度センサの検出温度を浴槽内湯水温度として用いるよう構成することができる。かかる構成では、浴槽内湯水温度の検出のためには循環ポンプを作動させる必要があるが、人の検知による循環路内の残留水の排出のための循環ポンプ作動時に浴槽内湯水温度を検出させることができる。
【００２５】
また、人の存在を検知したとき、人の検知の直前に循環路内に残留するすべての残留水を、循環ポンプの作動によって浴槽内に排出することが好ましいが、浴槽内に排出される冷水量が少なくなれば不快感を低減できるので、本発明は、人の検知の直前に循環路内に残留する残留水の一部を循環ポンプの作動によって排出するものも包含することができる。
【発明の効果】
【００２６】
本発明によれば、人が浴槽内に入浴する前に循環路内に残留する冷水を排出しておくことによって、入浴中に追焚き動作が行われた際に循環路から冷水が浴槽内に流れ込むことを防止できるとともに、冷水排出後の浴槽内湯水の温度に応じて追焚き動作が行われるようにすることで、冷水排出によって浴槽内湯水温度が過度に低下したままとなることを防止できる。
【図面の簡単な説明】
【００２７】
【図１】本発明の一実施形態に係る風呂追焚き装置の作動原理図である。
【図２】同風呂追焚き装置の設置状況の例を示す説明図である。
【図３】同風呂追焚き装置の保温運転モードの動作タイミングチャートの一例である。
【図４】同風呂追焚き装置の保温運転モードの動作タイミングチャートの別の例である。
【図５】同風呂追焚き装置の保温運転モードの動作タイミングチャートのさらに別の例である。
【発明を実施するための形態】
【００２８】
図１は、本発明の一実施形態に係る風呂追焚き装置として機能する給湯装置１の模式図である。この給湯装置１は、風呂追焚き機能を有し、該給湯装置１の各種運転操作を行うためのコントローラとしての台所リモコン５１及びふろリモコン５２とを備えている。台所リモコン５１は台所Ｋ（図２参照）に設置され、ふろリモコン５２は浴槽６が設置された浴室Ｙに設置されている。これら各リモコン５１，５２は、これらとは別の場所（例えば屋外の建物外壁，パイプシャフト内等）に設置された給湯装置１の制御部５と通信可能に接続され、各リモコン５１，５２からの操作信号等や、逆に制御部５からの表示信号又は動作信号等が送受信可能となっている。
【００２９】
給湯装置１は、給湯機能を実現する給湯回路２、追い焚き機能を実現する追焚回路３（循環路）、給湯回路２から追焚回路３へ湯はり等のために湯又は水を供給する注水・注湯回路４、及び、これらの作動制御を行う制御部５を備えている。なお、図例のものは１缶２水タイプのものを図示しているが、これに限らず、２缶２水タイプのものでも本発明を実施することができる。又、図例のものは給湯機能、追い焚き機能や湯はり機能を備えたものを図示しているが、これに限らず、少なくとも追い焚き機能を備えた装置であれば本発明の風呂追焚き装置として実施することができる。さらに、図例のものは、熱交換器として、燃焼ガスの顕熱を吸熱する一次熱交換器に加え燃焼排ガスからの潜熱を回収する二次熱交換器を組み合わせた潜熱回収型に構成されたものを図示しているが、これに限らず、二次熱交換器を有しないものでも本発明を実施することができ、潜熱回収型であることは必須ではない。以下の説明では、一次熱交換器及び二次熱交換器を組み合わせたものを、単に給湯用熱交換器２２又は追焚用熱交換器３３と表示する。
【００３０】
給湯回路２は、水道水等の給水を給水路２１を介して給湯用熱交換器２２に導き、給湯用熱交換器２２において燃焼バーナ２３で生じる燃焼熱との熱交換加熱により加熱した湯を給湯路２４に出湯させ、この湯を台所や洗面所等の各所の給湯栓２５まで給湯するようになっている。而して、給湯用熱交換器２２及び燃焼バーナ２３によって給湯用の加熱部が構成されている。
【００３１】
給水路２１と給湯路２４との間には、給湯用熱交換器２２をバイパスして給水路２１からの給水を給湯路２４に流入させるバイパス路２６が設けられ、バイパス弁２６ａを開にすれば連通するようになっている。給水路２１には流量センサ２７や給水温度を検出する給水温度センサ２８が介装され、給湯路２４には給湯用熱交換器２２で加熱された直後の出湯の温度を検出する缶体出口温度センサ２９が介装されている。
【００３２】
追焚回路３は、追い焚き機能を実現するために、戻り路３０及び往き路３１から主構成される循環路により構成されている。戻り路３０は、給湯装置１の筐体内部に配設された内部配管３０ａと、内部配管３０ａの上流端と浴槽６の循環アダプタ６１とを接続する外部配管３０ｂとにより構成されている。往き路３１は、給湯装置１の筐体内部に配設された内部配管３１ａと、内部配管３１ａの下流端と浴槽６の循環アダプタ６１とを接続する外部配管３１ｂとにより構成されている。戻り路３０の内部配管３０ａの下流端は追焚用熱交換器３３の入水口に接続され、往き路３１の内部配管３１ａの上流端は追焚用熱交換器３３の出湯口に接続されており、これら戻り路３０及び往き路３１を通して浴槽６内の湯水が追焚用熱交換器３３との間で循環されて追焚き加熱し得るようになっている。なお、各外部配管３０ｂ，３１ｂは現場施工にて配管されるものである。
【００３３】
より詳細には、循環ポンプ３２の作動により浴槽６から戻り路３０を通して追焚用熱交換器３３に浴槽内湯水が供給され、かかる浴槽内湯水が燃焼バーナ３４で発生する燃焼熱により追焚用熱交換器３３で熱交換加熱されて追い焚きされ、追い焚き後の浴槽内湯水が往き路３１を通して浴槽６に戻されるよう構成されている。而して、追焚用熱交換器３３及び燃焼バーナ３４によって追焚き用の加熱部が構成されており、「加熱部の作動」とは、本実施形態においては燃焼バーナ３４の燃焼動作と同義である。
【００３４】
循環ポンプ３２は戻り路３０及び往き路３１のいずれか一方（図例では戻り路３０）の内部配管３０ａの中途部に設けられている。戻り路内部配管３０ａには、流れを検知して後述の制御部５に出力する水流スイッチ３５や、浴槽６内から吸い込まれて戻り路３０内を循環流通する浴槽６内の湯水の温度を検出する戻り温度センサ３６（浴槽内湯水温度検出手段）が介装され、又、往き路内部配管３１ａには追い焚き後の湯水の温度を検出する往き温度センサ３７が介装されている。なお、図１中の符号３８は、前記の給湯用燃焼バーナ２３や追焚用燃焼バーナ３４に燃料ガスを供給するためのガス供給系である。
【００３５】
制御部５は、浴槽内の湯水の温度検出を行う場合、少なくとも循環ポンプ３２を作動させることによって追焚回路３内に浴槽６内の湯水を循環させ、かかる浴槽内湯水循環中の、若しくは、一定時間循環させた直後の戻り温度センサ３６の検出温度を浴槽内の湯水の温度として用いるよう構成されている。
【００３６】
注水・注湯回路４は、給湯路２４の途中から分岐して追焚回路３の戻り路３０に連通接続される注湯路４１を備えており、この注湯路４１を通して給湯路２４の湯水が戻り路３０に流入され、これが両側に分流して戻り路３０及び往き路３１のそれぞれを通す両搬送形式で浴槽６に注湯（又は注水）されるようになっている。注湯路４１には、給湯路２４の側である上流側から順に流量センサ４２，注湯電磁弁４３，逆流防止用の一対の逆止弁４４，上流側での負圧発生時に逆流発生を防止する縁切り弁４５がそれぞれ介装され、加えて、追焚回路３との合流点近傍には浴槽６内の水位を検出する圧力式の水位センサ４６が介装されている。
【００３７】
なお、図１中の符号７は外気温センサであり、この外気温センサ７はケース内の雰囲気温度を検出することにより外気温を検出するようになっている。又、符号８はドレン処理装置であり、このドレン処理装置８は、給湯用熱交換器２２や追焚用熱交換器３３に含まれる二次熱交換器において燃焼排ガスが潜熱回収のための熱交換により冷やされて凝縮することにより生じたドレンを集水路８２を介して集水し、中和槽８１で中和処理した上で排水路８３から排水させるために設置されたものである。
【００３８】
以上の給湯回路２，追焚回路３及び注水・注湯回路４等は、マイコンにより主構成される制御部５によって、給湯運転、追焚運転、注水・注湯による湯はり運転、又は、湯はり・追焚・保温までを自動制御するふろ自動運転等の各種の運転制御や、追焚回路３内の残留水を浴槽６内にパージ（排出）して追焚回路３内を浴槽６内の湯水で置換するためのパージ動作制御が、台所リモコン５１及びふろリモコン５２からの指令並びに上記の各種センサの検出値等に基づいて行われるようになっている。
【００３９】
台所リモコン５１及びふろリモコン５２は、従来公知の構成を有し、操作ボタン又はタッチパネルの操作によって、ふろ自動運転制御時の入浴時の浴槽内湯水温度の設定温度を、例えば３３℃〜４８℃の範囲内で１℃刻みで設定可能に構成されている。いずれか一方のリモコンにおける設定内容は他方のリモコン並びに給湯装置１の制御部５にも送信されて記憶保持される。
【００４０】
ふろリモコン５２は浴槽６の近傍、例えば浴室Ｙの壁面に設置され、特に本実施形態では、赤外線センサにより構成される人検知センサ（人感センサ）５３がふろリモコン５２に設けられて、人検知センサ５３の検出信号に基づいて浴室Ｙ内の人の在・不在の判別、つまり浴室Ｙ内に人が入ったことを検知する入室検知手段として機能するよう構成されている。人検知センサ５３は、浴室Ｙ内に人が入ったことを確実に検出し得るように向きや設置位置が設定されている。浴室Ｙに浴室テレビ６２（図２参照）が設置されている場合には、ふろリモコン５２に代えて、又はふろリモコン５２に加えて、人検知センサを浴室テレビ６２に設けることができる。なお、浴室Ｙが広い場合には、浴槽６の近くに人が近づいてきたことを検知するよう、人検知センサ５３の検知範囲を設定しておくことができる。
【００４１】
人検知センサとしては、前述の如く赤外線センサを用いて赤外線の変化を検出することにより浴室内への人の入室を検知するものであってもよいし、あるいは、撮像手段による監視画像の解析により浴室内への人の入室を検知するものであってもよい。
【００４２】
制御部５によるふろ自動運転制御について詳細に説明すると、ふろ自動運転制御は、リモコン５１，５２のふろ自動スイッチをユーザーがオン操作することで開始され、まず、ふろ自動運転開始指令、並びに、湯はり量（又は湯はり水位）及び目標温度（予め記憶されている設定温度又はユーザーが入力設定した設定温度）に関する情報が、リモコン５１，５２から制御部５に送信される。これにより、制御部５は湯はりモードの実行を開始し、湯はりモードの制御部５によって、注水・注湯回路４及び追焚回路３を通して給湯回路２からの湯を浴槽６に注湯するよう動作制御される。この際の注湯量は水位センサ４６又は注湯流量センサ４２の積分等により把握・特定されて、浴槽６内には所定水位まで湯はりされることになる。
【００４３】
次に、制御部５は追焚モードに動作モードが切り替わり、上述の追焚き用加熱部（追焚用燃焼バーナ３４及び追焚用熱交換器３３）や循環ポンプ３２が作動制御され、追焚用燃焼バーナ３４の燃焼熱を受けて追焚用熱交換器３３を通る浴槽６内の湯水が熱交換加熱され、リモコン５１，５２から指示された目標温度まで追い焚き加熱されることになる。
【００４４】
追い焚き加熱が終了すれば、引き続いて、図３に示すように、制御部５は保温運転モードに動作モードが切り替わり、保温運転モード中の制御部５は、浴槽６内の湯水温度を目標温度近傍に維持させるために所定周期毎（例えば１５分毎）に追焚き制御を実行する。なお、所定周期が経過したか否かは、所定周期が到来する毎にリセットされるインターバルタイマーを用いて判定してもよいし、保温運転モードの開始時点を起点とする経過時間によって判定してもよい。また、インターバルタイマーのリセットは、所定周期毎の追焚き制御の開始時に行ってもよいし、終了時に行ってもよい。
【００４５】
この追焚き制御は、所定周期の到来時の浴槽内湯水温度がどの程度まで低下しているかにかかわらず循環ポンプ３２及び追焚用加熱部（３３，３４）を作動させることによって浴槽６内の湯水を目標温度となるまで追焚きするものであってもよいが、本実施形態では、図３に示すように、まず、循環ポンプ３２のみを作動させて浴槽内湯水温度を検出し、浴槽内湯水温度が所定の保温閾値（例えば、目標温度−２℃）よりも低ければ循環ポンプ３２及び追焚用加熱部（３３，３４）を作動させることによって浴槽６内の湯水を目標温度となるまで追焚きするよう構成することが好ましい。
【００４６】
上記保温運転モードは、設定時間（例えばふろ自動スイッチＯＮから４時間）が経過するか、或いは、ユーザーによりふろ自動スイッチがＯＦＦされると終了する。
【００４７】
本実施形態では、保温運転モードに切り替わると、上記した所定周期毎の追焚き制御に併せて、浴室内への人の入室を監視して人を検知するとパージ動作制御をも行われるよう構成されている。
【００４８】
すなわち、図３の下部に示すように、保温運転モード中に人検知センサ５３により浴室Ｙ内への人の入室を検知すると、循環ポンプ３２を作動させる。すると、浴槽６内の湯水が戻り路３０側から追焚回路３に流入する一方、追焚回路３内に残留する残留水が押し出されて往き路３１を通って浴槽６内に排出される。この循環ポンプ３２の作動を設定時間が経過するまで行い、設定時間が経過すれば循環ポンプ３２の作動を停止させる。
【００４９】
上記設定時間としては，少なくとも、浴槽６内の湯水が追焚回路３内を１周するのに要する時間が設定される。この設定される時間の値は、追焚回路３の総延長距離と、循環ポンプ３２の作動時における循環流の流速とに基づいて予め定めることができるし、外部配管３０ｂ，３１ｂの配管後の試運転時において浴槽６内の湯が追焚回路３内を１周するのに要する時間を実測した上でその実測値を設定時間とすることもできる。内部配管３０ａ，３１ａの延長距離は工場製造時点で既知のものを使用することができ、外部配管３０ｂ，３１ｂの延長距離は施工実績から標準的な値を採用して使用してもよい。
【００５０】
かかる設定時間だけ循環ポンプ３２を作動させることにより、追焚回路３内の残留水を全て浴槽６内に排出できる一方、追焚回路３内を、直前まで浴槽６内に溜められていた湯水で満たすことができる。
【００５１】
本実施形態によれば、湯はり若しくは前回の追焚きからある程度時間経過していて追焚回路３内の残留水が冷水になっていたとしても、入室検知により即座に循環ポンプ３２を作動させて追焚回路３内に残留している残留水を浴槽６内に排出しておくことで、入室した人が浴槽６に入浴した状態で保温運転モードによる若しくは手動操作による追焚き動作が開始されたとしても、追焚回路３の往き路３１から浴槽６内に吐出される湯水の温度は浴槽６内の湯水と大差ないものとなる。これにより、往き路３１から浴槽６内に冷水が流れ込んで入浴者に不快感を与えてしまうという事態が発生することを回避できる。
【００５２】
入室検知により循環ポンプ３２を作動させるパージ動作を１回実行すれば、追焚回路３内の湯水が放熱により温度低下するまでしばらく時間経過を要するため、パージ動作を１回実行した後は、所定の休止時間（例えば５分間）が経過するまでは、たとえ新たな入室検知がなされたとしても、パージ動作（循環ポンプ３２の作動）を行わないように構成することができる。
【００５３】
また、追焚回路３内の湯水の放熱の度合は外気温の高低如何もしくは季節変動によって変動するため、上記の休止時間の時間値も外気温や季節変化に応じて変更させることができる。例えば、外気温センサ７（図１参照）の検出温度の如何に応じて休止時間の時間値を変更させたり，制御部５に記録されたカレンダ機能に基づき現時点が属する季節を割り出し、その季節に応じて休止時間の時間値を変更させたりすることができる。季節や外気温が反映される水の温度（入水温度センサ２８により検出される水の温度）に応じて休止時間の時間値を変更させるようにしてもよい。時間値の変更は、寒ければ（冷たければ）より短く、暑ければ（温ければ）より長くなるようにすればよい。例えば、標準の休止時間の時間値に係数を乗じることで、増加又は低減補正することができる。
【００５４】
さらに、本実施形態では、制御部５は、上記パージ動作を行った後、保温運転モードにおける湯水温度判定の周期が到来したか否かに関わらず、残留水の排出後の浴槽内湯水温度が所定の温度閾値（例えば保温運転モードにおける目標温度−２℃）よりも低いか否かを判定し、温度閾値よりも低ければ循環ポンプ３２及び追焚き用加熱部を作動させることによって浴槽６内の湯水を追焚きするよう構成されている。この残留水排出後の追焚き終了条件は適宜のものとすることができ、例えば、保温運転モードにおける目標温度となるまで追焚きしてもよいし、目標温度と温度閾値との中間の温度まで追焚きしてもよいし、また、所定時間（例えば１分間）追焚きするものであってもよい。また、上記温度閾値は、保温運転モードにおける保温閾値と同じであってよいが、直後に人が入浴を開始する可能性が高い状況であるため、保温閾値よりも１℃程度高くしておくこともできる。なお、残留水の排出後の浴槽内湯水温度が所定の温度閾値よりも低くない場合は、残留水排出後の追焚きを行わずにパージ動作制御を終了するようになっており、給湯装置１は、次の浴槽内湯水温度の判定タイミング（１５分毎）が到来するまで待機することとなる。
【００５５】
本発明は、上記実施形態に限定されるものではなく、適宜設計変更できる。例えば、加熱部の構成は上記実施形態に限定されるものではなく、例えば、ヒートポンプ式給湯装置の熱交換器により構成されていてもよい。また、給湯回路２と温水循環式暖房回路とを備え、その温水循環式暖房回路の一部をバイパスさせた分岐路に液／液熱交換器（追焚き用の熱交換器）を設け、この液／液熱交換器において、温水循環式暖房回路を循環する温水と追焚回路３を循環する浴槽湯水との間で熱交換させるように構成することもできる。
【００５６】
また、図３に示す実施例では保温運転モード中に入室監視によるパージ動作制御を行うよう構成しているが、これに限らず、ふろ自動運転がオフのときに、パージ動作制御を行うよう構成することもできる。すなわち、保温運転モード中であるか否かに関係なく、もしくは、風呂自動運転制御の実行中であるか否かに関係なく、人検知センサ５３による入室検知が出力されれば、循環ポンプ３２を作動させてパージ動作を行うようにすることができる。
【００５７】
また、パージ動作制御は、図４に示すように、まず循環ポンプ３２の作動により追焚回路３内の残留水の排出を行った後、残留水排出後の浴槽内湯水温度を検出して、検出された浴槽内湯水温度に応じて保温運転モードにおける次の浴槽内湯水温度の判定タイミングを変更するよう構成されていてもよい。例えば、保温運転モードにおける所定周期のカウントのためのインターバルタイマーの残り時間との対比において浴槽内湯水温度が想定温度よりも低くなっていれば、インターバルタイマーの残り時間を減少させることによって、図４に示すように保温運転モードにおける次の浴槽内湯水温度の判定タイミングを早め、一方、浴槽内湯水温度が想定温度よりも高ければ、インターバルタイマーの残り時間を増加させることによって、保温運転モードにおける次の浴槽内湯水温度の判定タイミングを遅らせることができる。
【００５８】
さらに、図４に示す実施例では、次の判定タイミングの変更処理に加えて、残留水排出後の浴槽内湯水温度が所定の温度閾値よりも低くなっていれば、循環ポンプ３２及び追焚き用加熱部を作動させることによって浴槽６内の湯水を追焚きするよう構成されている。この追焚き動作の詳細は図３に示す実施例と同様であってよい。
【００５９】
図５は、さらに別のパージ動作制御例を示している。この実施例では、まず循環ポンプ３２の作動により追焚回路３内の残留水の排出を行った後、残留水排出後の浴槽内湯水温度を検出し、浴槽内湯水温度が所定の温度閾値よりも低ければ、循環ポンプ３２及び追焚き用加熱部を作動させることによって浴槽６内の湯水を保温運転モードにおける目標温度まで追焚きして、この追焚き時点を保温運転モードの所定周期の起点として所定周期経過後に次の浴槽内湯水温度の判定が行われるよう、次の浴槽内湯水温度の判定タイミングを変更するよう構成されている。
【符号の説明】
【００６０】
１  風呂追焚き装置（給湯装置）
３  循環路（追焚回路）
５  制御部
６  浴槽
３２  循環ポンプ
３３  追焚用熱交換器（加熱部）
３４  追焚用燃焼バーナ（加熱部）
５３  人検知センサ
【図１】
2019007684.tif 000003
【図２】
2019007684.tif 000004
【図３】
2019007684.tif 000005
【図４】
2019007684.tif 000006
【図５】
2019007684.tif 000007